(57)【要約】      （修正有）【課題】安全性及び耐久性を向上させた解体可能な自動噴水の安全環境保護の自動車ワイパーを提供する。【解決手段】主としてワイパーフレーム，ワイパーアーム，及びワイパーフレームに挟設されたゴム条を含む。ゴム条は、ワイパーフレームの挟設に供する係合部と、雨水の払拭に供するブレード部とを設け、ブレード部の上縁には、間隔を開けて排列する複数個の貫通孔を設け、貫通孔を一つの管体に接続し、更に貫通孔の前縁には、下向きに延伸し且つブレード部を適当に遮蔽する遮蔽片を設ける。ワイパーアームの内縁のスルーホールがダクトにより自動車のクリーニング水タンクに接続され、ゴム条の管体がワイパーアームのスルーホールに接続する。【選択図】図３
0003161006.tif 000002
【実用新案登録請求の範囲】
【請求項１】
解体可能な自動噴水の安全環境保護の自動車ワイパーは、ワイパーフレーム，ワイパーアーム，及びワイパーフレームに挟設されたゴム条を含む解体可能な自動噴水の安全環境保護の自動車ワイパーであって、該ゴム条は、ワイパーフレームの挟設に供する係合部と、雨水の払拭に供するブレード部とを設け、該ブレード部の上縁には、間隔を開けて排列する複数個の貫通孔を設け、該等貫通孔がゴム条を突き抜けた後に一つの管体に接続することにより、管体が該ワイパーフレームの中央位置に穿設され、該等貫通孔の前縁には、下向きに延伸し且つブレード部を適当に遮蔽する遮蔽片を設け、該ワイパーアームがその内縁にスルーホールを設けることにより、スルーホールがダクトにより自動車のクリーニング水タンクに接続され、該ゴム条の管体がワイパーアームのスルーホールと互いに接続し、前述部材の組合せにより該ワイパーを自動車の車窓に設置した後に、クリーニング液または清水をスプレーする時に、運転者の視線を遮蔽しないことを特徴とする、解体可能な自動噴水の安全環境保護の自動車ワイパー。
【請求項２】
該遮蔽片は、弧形を呈することにより、ゴム条のブレード部に対する遮蔽に寄与し、且つゴム条の正常な払拭を邪魔できないことを特徴とする、請求項1に記載の解体可能な自動噴水の安全環境保護の自動車ワイパー。
【請求項３】
解体可能な自動噴水の安全環境保護の自動車ワイパーは、ワイパーフレーム，ワイパーアーム，及びワイパーフレームに挟設されたゴム条を含む解体可能な自動噴水の安全環境保護の自動車ワイパーであって、該ワイパーフレームの内に略П形を呈する複数個の爪体を設け、爪体の一端の水平・垂直接続箇所に凹槽を設けることにより、爪体が展開可能な形状を構成し、該ワイパーフレームが長孔を設け、且つ長孔の中央に当止部を設けることにより、制動ロッドを該長孔に穿設するように供し、ワイパーフレームに突出して露出し、更に長孔の上下に沿って摺動でき、該管体がその末端に固定環を一つ嵌固し、固定環により制御ロッドを一つ接続し、該蓋体に長孔を一つ設け、且つ長孔の中央に当止部を設けることにより、該制御ロッドが長孔を突き抜けて蓋体に突出して露出し、更に長孔の上下に沿って摺動でき、前述の部材にて、ゴム条を交換する必要がある時に、その中の制動ロッドと制御ロッドを上向きに引っ張ることにより、当止部を摺動し、長孔の上方に位置決めし、このようにしたら、該等爪体が展開状を構成でき、且つ管体がゴム条の進水孔を脱離できることにより、元からあるゴム条3の抜出に寄与し、新たなゴム条を該等爪体に置き入れた後に、制動ロッドと制御ロッドを下向きに引っ張ることにより、当止部を摺動し、長孔の下方に位置決めすることを特徴とする、解体可能な自動噴水の安全環境保護の自動車ワイパー。
【考案の詳細な説明】
【技術分野】
【０００１】
本考案は、解体可能な自動噴水の安全環境保護の自動車ワイパーに関するもので、特にゴム条の設ける貫通孔により、クリーニング液をスプレーしてもよく、クリーニング液または清水をスプレーする時に、運転者の視線を遮蔽できず、より安全になり、且つ周辺の通行人または品物に飛び散ることを避け、更にワイパーの未使用時に、遮蔽片にて日光を遮断することにより、ワイパーの使用寿命を向上できるワイパー構造を、指す。
【背景技術】
【０００２】
故に一般な自動車に使用されるワイパーのクリーニング液または清水のノズルは、通常車体前方のエンジンフード又はウィンドシールドの下縁に設けられ、従って使用時にクリーニング液または清水が全部の車窓へ向けてスプレーするので、常に運転者の視線がぼんやりし、運転の安全に影響を及ぼし、特に高速道路に走る時に、その瞬間の視覚障害は、更に交通事故の発生を招く可能性がある。そして一般な道路の運転時に、スプレーされたクリーニング液は、更に周辺の通行人または品物に飛び散って不要な邪魔を招く可能性がある。更にワイパーの未使用時に、日光の長時間の晒しにより、常にワイパーの使用寿命を低減しやすくなり、理想的ではない。
【考案の概要】
【考案が解決しようとする課題】
【０００３】
出願人は、この点に鑑み、当該業務に従事する多年の経験を持って、絶えずに研究・実験を経て遂にワイパー構造を生成して改良し、ワイパーのクリーニング液または清水の使用がより安全になることを、期待する。
【０００４】
本考案の主な目的は、即ち解体可能な自動噴水の安全環境保護の自動車ワイパーを提供するもので、ワイパーがゴム条の設ける貫通孔により、クリーニング液をスプレーしてもよく、クリーニング液または清水をスプレーする時に、運転者の視線を遮蔽できず、より安全になり、且つ周辺の通行人または品物に飛び散ることを避け、更にワイパーの未使用時に、遮蔽片にて日光の直射を遮断することにより、ワイパーの使用寿命を向上できる。
【課題を解決するための手段】
【０００５】
前述の解体可能な自動噴水の安全環境保護の自動車ワイパーは、ワイパーフレーム，ワイパーアーム，及びワイパーフレームに挟設されたゴム条を含む。その中でも、該ゴム条は、ワイパーフレームの挟設に供する係合部と、雨水の払拭に供するブレード部とを設け、該ブレード部の上縁には、間隔を開けて排列する複数個の貫通孔を設けることにより、該等貫通孔を一つの管体に接続し、更に貫通孔の前縁には、下向きに延伸し且つブレード部を適当に遮蔽する遮蔽片を設け、該ワイパーアームが内縁にスルーホールを設けることにより、スルーホールがダクトにより自動車のクリーニング水タンクに接続され、該ゴム条の管体がワイパーアームのスルーホールを接続する。故にワイパーが起動する時に、ゴム条に設けられた貫通孔により、クリーニング液をスプレーしてもよく、クリーニング液または清水をスプレーする時に、運転者の視線を遮蔽できず、より安全になり、且つ周辺の通行人または品物に飛び散ることを避け、更にワイパーの未使用時に、該遮蔽片にて日光を遮断することにより、ワイパーの使用寿命を向上する。
【０００６】
前述の解体可能な自動噴水の安全環境保護の自動車ワイパーは、その中でも該遮蔽片が、略弧形を呈することにより、ゴム条のブレード部に対する遮蔽に寄与し、且つゴム条の正常な払拭を邪魔できない。
【考案の効果】
【０００７】
本考案によれば、クリーニング液または清水をスプレーする時に、運転者の視線を遮蔽できず、より安全になり、且つ周辺の通行人または品物に飛び散ることを避け、更にワイパーの未使用時に、遮蔽片にて日光の直射を遮断することにより、ワイパーの使用寿命を向上できる。
【図面の簡単な説明】
【０００８】
【図１】本考案の斜視図である。
【図２】本考案のゴム条の斜視図である。
【図３】本考案の断面図である。
【図４】本考案の組立の実施例の図である。
【図５】本考案の動作の実施例の図である。
【図６】本考案の他の実施例の斜視図である。
【図７】本考案の他の実施例のワイパーの構造図である。
【図８】本考案の他の実施例の動作の状態図である。
【図９】本考案の他の実施例の動作の状態図である。
【考案を実施するための形態】
【０００９】
同時に図1と図2を参照し、且つ図3に対応し、これらが本考案の斜視図，ゴム条の斜視図およびゴム条の断面図である。図に示すように、本考案は、主としてワイパーフレーム1，ワイパーアーム2，及びワイパーフレーム1に挟設されたゴム条3を含み、該ゴム条3がワイパーフレーム1に設けられた爪体4により挟固される。その中でも、該ゴム条3は、ワイパーフレーム1の挟設に供する係合部31と、雨水の払拭に供するブレード部32とを設け、該ブレード部32の上縁には、間隔を開けて排列する複数個の貫通孔33を設けることにより、該等貫通孔33がゴム条3を突き抜けた後に一つの管体34に接続することにより、管体34が該ワイパーフレーム1の中央位置の設ける進水孔38に穿設され、該等貫通孔33の前縁には、下向きに延伸し且つブレード部32を適当に遮蔽する遮蔽片35を設け、本実施例の中に、該遮蔽片35が弧形に設けられ、該ワイパーアーム2がその内縁にスルーホール21を設けることにより、スルーホール21がダクトにより自動車のクリーニング水タンクに接続され、該ゴム条3の管体34がワイパーアーム2のスルーホール21と互いに接続し、前述部材の組合せにより、該ワイパーを自動車の車窓に設置して起動する時に、先ずゴム条3の設ける貫通孔33により、車窓に向けてクリーニング液または清水をスプレーしてもよく、クリーニング液または清水をスプレーする時に、ワイパーのゴム条3から放出し、そして伝統的な自動車のようにクリーニング液を全部の車窓にスプレーして運転者の視線を遮蔽することがなく、運転の安全を向上し、且つ周辺の通行人または品物に飛び散ることを避ける。そしてワイパーの未使用時に、該遮蔽片35にて日光を適当に遮断してブレード部32に直接照射することにより、ゴム条3が硬化・変質を生成することを避け、ひいてはワイパーの使用寿命を向上できる。
【００１０】
再び図3を参照し、これが本考案のゴム条の断面図である。図に示すように、本考案のゴム条3は、そのブレード部32の上縁に、間隔を開けて排列する複数個の貫通孔33を設け、該等貫通孔33がゴム条3を上向きに突き抜けた後に、一つの管体34に接続することにより、管体34にて導入されたクリーニング液または清水が、各貫通孔33に平均に流通する。そして該貫通孔33の前縁に設けられた遮蔽片35は、弧形に設けられることにより、ゴム条3のブレード部32に対する遮蔽に寄与し、且つゴム条3が払拭する時に、ゴム条3の正常な動作を邪魔できない。
【００１１】
図4を参照し、これが本考案の組立の実施例の図である。図に示すように、本考案は、組立時に、例えば一般な周知のワイパーのように、その中のワイパーアーム2をワイパーフレーム1に鈎持して固定し、且つ中央位置に蓋体11を一つ冠着する。
【００１２】
図5を参照し、これが本考案の動作の実施例の図である。図に示すように、本考案は、ワイパーが起動する時に、ゴム条3に設けられた管体34が自動車のクリーニング水タンクからクリーニング液または清水を導入し、貫通孔33を経由して車窓へ向けてスプレーし、高速で走る最中に車窓をクリーニングする必要がある時に、クリーニング液または清水がワイパーのゴム条3に設けられた貫通孔から車窓へ向けてスプレーし、そして運転者の視線を遮蔽できず、運転がより安全になり、且つ一般な道路または駐車にクリーニング液または清水をスプレーする時に、周辺の通行人または品物に飛び散ることを防止できる。そしてワイパーの未使用時に、該遮蔽片35にて日光を適当に遮断してブレード部32に直接照射することにより、ゴム条3が硬化・変質を生成することを防止でき、ひいてはワイパーの使用寿命を向上できる。
【００１３】
同時に図6と図7を参照し、これらが本考案の他の実施例の斜視図およびワイパーの構造図である。図に示すように、本考案は、ワイパーフレーム1の内に略П形を呈する複数個の爪体4を設けることが出来、爪体4の一端の水平・垂直接続箇所に凹槽41を設けることにより、爪体4が展開可能な形状を構成し、該ワイパーフレーム1が長孔12を設け、且つ長孔12の中央に当止部121を設けることにより、制動ロッド42を該長孔12に穿設するように供し、ワイパーフレーム1に突出して露出し、更に長孔12の上下に沿って摺動でき、該管体34がその末端に固定環36を一つ嵌固し、固定環36により制御ロッド37を一つ接続し、該蓋体11に長孔13を一つ設け、且つ長孔13の中央に当止部131を設けることにより、該制御ロッド37が長孔を突き抜けて蓋体11に突出して露出し、更に長孔13の上下に沿って摺動でき、前述の部材にて、ゴム条3を交換する必要がある時に、その中の制動ロッド42と制御ロッド37を上向きに引っ張ることにより、当止部121，131を摺動でき、長孔12，13の上方に位置決めし、このようにしたら、該等爪体4が展開状を構成でき、且つ管体34がゴム条3の進水孔38を脱離できることにより、元からあるゴム条3の抜出に寄与し、新たなゴム条3を該等爪体4に置き入れた後に、ユーザーは、ただ制動ロッド42と制御ロッド37のみを下向きに引っ張る必要があることにより、当止部121，131を摺動し、長孔12，13の下方に位置決めし、このようにしたら、制動ロッド42が爪体4の凹槽41に突き上げてもよく、爪体4がゴム条3にしっかり挟持される。そして該管体34がゴム条3の進水孔38に嵌設でき、水をゴム条3の内に輸送するように供し、ひいてはゴム条3の交換が比較的便利となる。
【００１４】
同時に図7、図8と図9を参照し、これらが本考案の他の実施例の動作の状態図である。図に示すように、本考案は、常態化する時に、制動ロッド42が爪体4の凹槽41に突き上げることにより、爪体4がゴム条3にしっかり挟持され、そして該管体34がゴム条3の進水孔38に嵌設できる。ゴム条3を交換する必要がある時に、ただ制動ロッド42と制御ロッド37のみを上向きに引っ張る必要があり、該等爪体4が突き上げ力を失うので、展開状を呈し、且つ管体34がゴム条3の進水孔38を脱離できれば、つまり元からあるゴム条3を抜出でき、更に再び爪体4に沿って新たなゴム条3を嵌入した後に、制動ロッド42と制御ロッド37をそれぞれ下向きに引っ張ることにより、制動ロッド42を爪体4の凹槽41に突き上げ、爪体4をゴム条3にしっかり挟持し、該管体34をゴム条3の進水孔38に嵌設することにより、ゴム条3の交換を完成し、そして資源の節約および環境保護の効果を達成する。
【００１５】
前述の実施例は、ただ本考案を説明するためのより好ましい実施方式のみで、そして本考案の範囲を限定するために用いられるものではなく、何れも僅かな潤色および変化を経ても、依然として本考案の大切な意味を失わず、本考案の精神範疇をも逸脱しないものである。
【００１６】
上記を総合し、本考案は、貫通孔を設けるゴム条により、自動車のクリーニング水タンクに接続されたワイパーアームに対応し、ワイパーがゴム条の設ける貫通孔によりクリーニング液をスプレーしてもよく、ひいてはクリーニング液または清水をスプレーする時に、運転者の視線を遮蔽できず、より安全になり、且つ周辺の通行人または品物に飛び散ることを避け、更にワイパーの未使用時に、遮蔽片にて日光の直射を遮断することにより、ワイパーの使用寿命を向上できる。本考案は、実用的な設計で、誠に新規性を有する創作に属し、従って実用新案法により本考案の出願を提出し、貴局には本考案の実用新案登録請求の範囲の出願を更に審査して許可されるよう切望する次第で、考案を励ます。
【符号の説明】
【００１７】
1  ワイパーフレーム
2  ワイパーアーム
3  ゴム条
4  爪体
11  蓋体
12  長孔
13  長孔
21  スルーホール
31  係合部
32  ワイパーブレード
33  貫通孔
34  管体
35  遮蔽片
36  固定環
37  制御ロッド
38  進水孔
41  凹槽
42  制動ロッド
121  当止部
131  当止部
【図１】
0003161006.tif 000003
【図２】
0003161006.tif 000004
【図３】
0003161006.tif 000005
【図４】
0003161006.tif 000006
【図５】
0003161006.tif 000007
【図６】
0003161006.tif 000008
【図７】
0003161006.tif 000009
【図８】
0003161006.tif 000010
【図９】
0003161006.tif 000011